(57)【要約】　【課題】　発光体の点灯消灯の制御が不要であり、発色用蛍光体の残光特性の相違に起因する色重なりが生じないフィールドシーケンシャル方式のバックライト及び液晶表示装置用バックライトを提供する。　【解決手段】　導光板１の端面１ｅ（光入射面）に対向して回転体４が配置され、回転体４の外周面には赤色光Ｌ（Ｒ）を発光する赤色発光体６Ｒ、青色光Ｌ（Ｂ）を発光する青色発光体６Ｂ、緑色光Ｌ（Ｇ）を発光する緑色発光体６Ｇが装着される。回転体４の回転に応じて端面１ｅに対向する発光体が順次変化し、導光板１へ入射する光は赤色光Ｌ（Ｒ）、青色光Ｌ（Ｂ）又は緑色光Ｌ（Ｇ）に変化するものとする。【選択図】　図１
2004055563.tif 000002
【特許請求の範囲】
【請求項１】
　光出射面を有する導光板と、該導光板に対向して配置され回転軸を有する回転体と、前記回転体の外周面に装着され前記導光板へ入射すべき入射光を発生する複数の発光体とを備えることを特徴とするバックライト。
【請求項２】
　前記発光体は放電用媒体を封入した発光管を備えることを特徴とする請求項１に記載のバックライト。
【請求項３】
　前記発光管は放電用媒体として水銀を含み、絶縁性及び熱伝導性を有する発光管装着部を介して前記回転体に装着されることを特徴とする請求項２記載のバックライト。
【請求項４】
　前記発光管は希ガスを放電用媒体として内部電極及び前記回転体の表面に形成される外部電極を備えることを特徴とする請求項２記載のバックライト。
【請求項５】
　前記外部電極は発光管の管軸方向において複数に分割して配置してあることを特徴とする請求項４記載のバックライト。
【請求項６】
　光入射面と光出射面を有する導光板と、
　前記導光板の前記光入射面に対向して配置され、それ自体の回転軸まわりに回転可能である回転体と、
　前記回転体を回転させる回転駆動機構と、
　前記回転体に前記回転軸と実質的に同方向に延びるように装着された発光管と、この発光管に封入された希ガスからなる無水銀の放電媒体と、この放電媒体を励起するための第１及び第２の電極とをそれぞれ備え、それぞれ異なる色の光を放射し、放射された光は前記光入射面から前記導光板に入射して前記光出射面から出射される、複数の無水銀型蛍光ランプからなる発光体と、
　前記各発光体の前記第１及び第２の電極に電圧を印加するための給電制御機構とを備える、バックライト。
【請求項７】
　前記第１の電極は、前記発光管の内部に配置され、かつ
　前記第２の電極は、前記回転軸が延びる方向に間隔を隔てて前記回転体の外側面に配置され、かつ前記蛍光管の外周面に接触する、複数の電離電極を備える、請求項６に記載のバックライト。
【請求項８】
　前記放電媒体を励起するための電圧を発生する給電回路をさらに備え、
　前記給電制御機構は、
　それぞれ前記回転体の両端に前記回転軸と同軸に設けられた、第１及び第２の円柱体と、
　前記第１の円柱体の側周面に設けられ、それぞれ前記複数の発光体うちの一つが備える前記第１の電極に接続された、複数の第１の接点と、
　前記第２の円柱体の側周面に設けられ、前記第２の電極に接続された第２の接点と、
　一端が前記第１の円柱体の側周面に当接し、他端が前記給電回路に接続された第１の端子と、
　一端が前記第２の円柱体の側周面に当接し、他端が前記給電回路に接続された第２の端子とを備え、
　前記第１の端子は前記第１の円柱体の回転角度位置に応じて前記複数の第１の接点の少なくともいずれか一つに接触し、かつ前記第２の端子は前記第２の円柱体の回転角度位置にかかわらず前記第２の接点に接触し、それによって前記複数の発光体のいずれかの前記第１及び第２の電極に順次間欠的に電圧を印加して前記放電媒体を励起する、請求項６に記載のバックライト。
【請求項９】
　前記回転体は導光板の端面側又は光出射面に対向する対向面側に配置してあることを特徴とする請求項１乃至８のいずれかに記載のバックライト。
【請求項１０】
　前記回転体を複数個備えることを特徴とする請求項９記載のバックライト。
【請求項１１】
　前記対向面は長方形であり、前記複数個の回転体は対向面の長辺方向において平行に配置してあることを特徴とする請求項１０記載のバックライト。
【請求項１２】
　前記回転体の外周面に反射部を備えることを特徴とする請求項１乃至８のいずれかに記載のバックライト。
【請求項１３】
　前記回転体は発光体間に遮光性を有する発光体分離部を備えることを特徴とする請求項１乃至８のいずれかに記載のバックライト。
【請求項１４】
　前記発光管は直管状であり、前記回転軸に対して平行に延びる、請求項１乃至８のいずれかに記載の記載のバックライト。
【請求項１５】
　前記発光管は螺旋状であり、螺旋の中心軸が前記回転軸に対して平行に延びる、請求項１乃至８のいずれかに記載のバックライト装置。
【請求項１６】
　請求項１乃至１５のいずれかに記載のバックライトにおける前記導光板の光出射面を液晶表示装置の背面に対向して配置可能な構成としてあることを特徴とする液晶表示装置用バックライト。
【発明の詳細な説明】
【技術分野】
【０００１】
　本発明は、バックライト及び液晶表示装置用バックライトに関する。
【背景技術】
【０００２】
　カラー液晶表示装置においては、カラー表示のためにカラーフィルタを液晶パネルの各画素に対応して形成する必要がある。カラー表示のためには少なくとも赤（Ｒ）、緑（Ｇ）、青（Ｂ）に対応する３画素が必要になることから、高解像度（高精細化）の点で効率が悪いという問題がある。また、画素の微細化に伴い、カラーフィルタと画素との位置合わせ、各色のカラーフィルタ間の位置合わせが困難になり、製造上の問題となっている。さらに、画素と共にカラーフィルタも微細化することから、カラーフィルタにおける光利用率が低下し、輝度を確保するために光源への電力供給を増やす必要が生じ、消費電力が増加するという問題もある。
【０００３】
　このようなカラーフィルタの問題点から、カラーフィルタの代わりに色付きのバックライトを用いて液晶表示装置のカラー化を実現する方法が提案されている。例えば特許文献１にはこのようなバックライトを用いたカラー液晶ディスプレイが開示されている。このような方式はカラーフィルタが不要であることから、原理的にはカラーフィルタを用いた従来の液晶表示装置に比較して３倍の高精細化が可能である。
【０００４】
　図２８は従来のバックライトの概略構成を示す構成図である。
【０００５】
　図において、１は導光板であり、光出射面１ｆ、端面１ｅ、光出射面に対向する対向面１ｒを備える。対向面１ｒ、一方の端面１ｅには反射膜２が形成される。他方の端面１ｅには所定色の光を発光する複数の発光体６が配置される。ここでは、発光体６は、赤色発光体６Ｒ、緑色発光体６Ｇ、青色発光体６Ｂの３種類の発光体により構成される。赤色発光体６Ｒ、緑色発光体６Ｇ、青色発光体６Ｂは時間をシフトして順次周期的に点灯され、例えば、第１期間では赤色発光体６Ｒが、第１期間の次の第２期間では緑色発光体６Ｇが、第２期間の次の第３期間では青色発光体６Ｂが点灯され、各期間において赤色光Ｌ（Ｒ）、緑色光Ｌ（Ｇ）、青色光Ｌ（Ｂ）が各々発光される。図では赤色発光体６Ｒが点灯され、赤色光Ｌ（Ｒ）が端面１ｅに入射され、反射膜２により反射されて光射出面１ｆから赤色光Ｌ（Ｒ）が放出されて、液晶表示装置ＬＣＤへ入射する状況を示す。
【０００６】
　第１期間では赤色光Ｌ（Ｒ）に対応する液晶表示装置ＬＣＤの画素が表示され、第２期間では緑色光Ｌ（Ｇ）に対応する液晶表示装置ＬＣＤの画素が表示され、第３期間では青色光Ｌ（Ｂ）に対応する液晶表示装置ＬＣＤの画素が表示されるように液晶表示装置ＬＣＤにおいて各画素（不図示）の表示制御がなされる。各期間においては赤色光Ｌ（Ｒ）、緑色光Ｌ（Ｇ）、青色光Ｌ（Ｂ）の内の１色による単色画像が表示されるだけであるが、人間の視覚には残像効果があることから、この効果が得られる時間内で各期間を切り換えることによりＲＧＢ３種類の単色画像を合成したカラー画像を人間が知覚することができる。このような時分割による駆動方式はフィールドシーケンシャル方式と云われている。
【０００７】
【特許文献１】特開平５−２６４９８８号公報
【発明の開示】
【発明が解決しようとする課題】
【０００８】
　しかし、上述の従来のバックライトにおいては、発光体６に発光管、例えば冷陰極発光管を用いており、点灯消灯を繰り返すフィールドシーケンシャル方式による場合は、発光管に含まれる発色用の蛍光体の残光特性が異なることから、点灯期間の長さによっては色重なりが生じることがあるという問題があり、また残光特性の長い蛍光体を基準に点灯制御する必要があり高速化が困難であるという問題がある。また、色重なりを防止するために点灯時間を短く設定する必要があること、点灯時間の短縮に伴い光量ロスによる輝度低下が生じること、点灯消灯の繰り返しにより発光管の寿命が低下すること、さらには、調光（発光強度の調整）が困難であること等の問題があった。
【０００９】
　本発明は斯かる事情に鑑みなされたものであり、その目的とするところは発光体（特に発光管）の点灯消灯の制御が不要であり、発色用蛍光体の残光特性の相違に起因する色重なりが生じないフィールドシーケンシャル方式のバックライト、さらに、発光体（特に発光管）の寿命低下を防止でき、調光が容易であり、かつ色温度の変更が容易なバックライトを提供することにある。
【００１０】
　また、本発明の他の目的は、発光体（特に発光管）の点灯消灯の制御が不要であり、発色用蛍光体の残光特性の相違に起因する色重なりが生じないフィールドシーケンシャル方式の液晶表示装置用バックライト、さらに、発光体（特に発光管）の寿命低下を防止でき、調光が容易な液晶表示装置用バックライトを提供することにある。
【００１１】
　さらに、本発明の他の目的は、発光体の点灯制御を行うフィールドシーケンシャル方式のバックライトにおいて、消費電力を低減しつつ、安定した輝度での照明を実現することを課題としている。
【課題を解決するための手段】
【００１２】
　第１の発明に係るバックライトは、光出射面を有する導光板と、該導光板に対向して配置され回転軸を有する回転体と、前記回転体の外周面に装着され前記導光板へ入射すべき入射光を発生する複数の発光体とを備えることを特徴とする。
【００１３】
　回転体に発光体を装着し、回転体と共に発光体も回転することにより導光板への入射光を切り換える構成として、発光体の点灯消灯の制御によらずに導光板への入射光の色の切換をするので、色重なりが生じないフィールドシーケンシャル方式のバックライトが可能となる。
【００１４】
　第１の発明のバックライトは、液晶表示装置の照明に適している。導光板を液晶表示装置に適合させ、回転体と共に発光体も回転することにより導光板への入射光を切り換える構成として、発光体の点灯消灯の制御によらずに導光板への入射光の色の切換をするので、発光体の点灯消灯の制御が不要になり、色重なりの生じないフィールドシーケンシャル方式の液晶表示装置用バックライトが可能となる。
【００１５】
　第１の発明に係るバックライトは、前記発光体は放電用媒体を封入した発光管を備えることを特徴とする。
【００１６】
　発光体を放電用媒体が封入された発光管により構成するので発光特性が良く、色重なりの生じない長寿命のフィールドシーケンシャル方式のバックライトが可能となる。
【００１７】
　第１の発明に係るバックライトにおいては、前記発光管は放電用媒体として水銀を含み、絶縁性及び熱伝導性を有する発光管装着部を介して前記回転体に装着されることを特徴とする。
【００１８】
　第１の発明に係るバックライトにおいては、前記発光管は希ガスを放電用媒体として内部電極及び前記回転体の表面に形成される外部電極を備えることを特徴とする。
【００１９】
　第１の発明に係るバックライトにおいは、前記外部電極は発光管の管軸方向において複数に分割して配置してあることを特徴とする。
【００２０】
　第２の発明に係るバックライトは、光入射面と光出射面を有する導光板と、前記導光板の前記光入射面に対向して配置され、それ自体の回転軸まわりに回転可能である回転体と、前記回転体を回転させる回転駆動機構と、前記回転体に前記回転軸と実質的に同方向に延びるように装着された発光管と、この発光管に封入された希ガスからなる無水銀の放電媒体と、この放電媒体を励起するための第１及び第２の電極とをそれぞれ備え、それぞれ異なる色の光を放射し、放射された光は前記光入射面から前記導光板に入射して前記光出射面から出射される、複数の無水銀型蛍光ランプからなる発光体と、前記各発光体の前記第１及び第２の電極に電圧を印加するための給電制御機構とを備えることを特徴とする。
【００２１】
　このバックライト装置は、光出力が周囲温度に依存しない無水銀型蛍光ランプを備えているので、導光板から出射される光の輝度が安定している。詳細には、回転体が回転すると、回転体に装着された無水銀型蛍光ランプの発光管と周囲の空気との間で熱交換が行われるので、無水銀型蛍光ランプの周囲温度が比較的広範に変化する。しかし、この周囲温度の変化にかかわらず、無水銀型蛍光ランプの光出力は安定している。従って、本発明のバックライト装置を使用することで、輝度の安定したフィールドシーケンシャル式のカラー液晶表示装置が実現する。
【００２２】
　また、無水銀型蛍光ランプは通電開始後、実質的に瞬間的に光出力が所望のレベルに達する。そのため、回転体を高速で回転させることで発光する無水銀蛍光型ランプを高速で切り換えても、バックライト装置から出射される光は充分な輝度を有する。従って、本発明のバックライト装置を適用した場合、無水銀型蛍光ランプを常時点灯させておく必要はなく、順次間欠的に点灯させればよいので、消費電力が低減する。
【００２３】
　第２の発明に係るバックライトにおいては、前記第１の電極は、前記発光管の内部に配置され、かつ前記第２の電極は、前記回転軸が延びる方向に間隔を隔てて前記回転体の外側面に配置され、かつ前記蛍光管の外周面に接触する、複数の電離電極を備えることを特徴とする。
【００２４】
　具体的には、バックライトは、前記放電媒体を励起するための電圧を発生する給電回路をさらに備え、前記給電制御機構は、それぞれ前記回転体の両端に前記回転軸と同軸に設けられた、第１及び第２の円柱体と、前記第１の円柱体の側周面に設けられ、それぞれ前記複数の発光体うちの一つが備える前記第１の電極に接続された、複数の第１の接点と、
　前記第２の円柱体の側周面に設けられ、前記第２の電極に接続された第２の接点と、
　一端が前記第１の円柱体の側周面に当接し、他端が前記給電回路に接続された第１の端子と、一端が前記第２の円柱体の側周面に当接し、他端が前記給電回路に接続された第２の端子とを備え、前記第１の端子は前記第１の円柱体の回転角度位置に応じて前記複数の第１の接点の少なくともいずれか一つに接触し、かつ前記第２の端子は前記第２の円柱体の回転角度位置にかかわらず前記第２の接点に接触し、それによって前記複数の発光体のいずれかの前記第１及び第２の電極に順次間欠的に電圧を印加して前記放電媒体を励起する。
【００２５】
　かかる構成の給電制御機構では、回転体の回転角度位置の変化に伴う第１の端子と複数の第１の接点との接触の切り換えにより、複数の無水銀型蛍光ランプの点灯及び消灯が制御される。換言すれば、無水銀型蛍光ランプの点灯及び消灯は、電気回路ないしは電子回路によってではなく、機械的に制御されるので、消費電力をさらに低減することができる。
【００２６】
　第１及び第２の発明のバックライトにおいては、前記回転体は、例えば導光板の端面側又は光出射面に対向する対向面側に配置される。
【００２７】
　第１及び第２の発明のバックライトにおいて、前記回転体を複数個備えてもよい。
【００２８】
　回転体を複数個備えることで大型の導光板を備えるバックライトとすることができ、大型の表示装置にも適用可能なフィールドシーケンシャル方式のバックライトが可能となる。
【００２９】
　例えば、前記対向面は長方形であり、前記複数個の回転体は対向面の長辺方向において平行に配置される。
【００３０】
　第１及び第２の発明において、前記回転体の外周面に反射部を設けてもよい。
【００３１】
　第１及び第２の発明において、前記回転体は発光体間に遮光性を有する発光体分離部を備える。
【００３２】
　第１及び第２の発明において、前記発光管は直管状であり、前記回転軸に対して平行に延びる。
【００３３】
　あるいは、前記発光管は螺旋状であり、螺旋の中心軸が前記回転軸に対して平行に延びる。
【発明の効果】
【００３４】
　第１の発明にあっては、回転体の回転と共に発光体も回転する構成とすることにより、発光体の点灯消灯の制御によらずに導光板への入射光の色の切換が可能となるので、発光体の点灯消灯の制御が不要であり、発光体を発光管で構成した場合に特に問題になっていた色重なりの問題が生じないフィールドシーケンシャル方式に適用可能なバックライトが可能となる。
【００３５】
　第２の発明にあっては、回転体の回転と共に無水銀型蛍光ランプが回転し、かつ無水銀型蛍光ランプの第１及び第２の電極に印加する電圧を給電制御機構によって機械的に制御することにより、消費電力を低減しつつ、安定した輝度での照明を行うことができる、フィールドシーケンシャル方式に適用可能なバックライトが可能となる。
【発明を実施するための最良の形態】
【００３６】
以下本発明をその実施の形態を示す図面に基づいて詳述する。
【００３７】
　＜実施の形態１＞
　図１は実施の形態１に係るバックライトの概略構成を示す構成図である。
【００３８】
　図において、１は導光板であり、ポリカーボネイト、エポキシ樹脂等の透明な合成樹脂に光を均一に分散させるための光散乱剤を適宜含有して金型成形等により形成される。導光板１は光を入射するための光入射面となる一方の端面１ｅ、光を出射するための光出射面１ｆ、光出射面１ｆに対向する対向面１ｒを備える。光入射面としての端面１ｅ及び光出射面１ｆ以外の面は入射光を効率的に反射して光を出射できるように反射膜２が形成される。導光板１の端面１ｅ（光入射面）に対向して発光体を装着された回転体４が配置され、いわゆるエッジライト式のバックライトを構成する。回転体４は回転軸５を中心として曲線矢符Ｒｏｔで示すように回転する構成とされる。回転軸５を回転駆動する手段としては例えばステッピングモータ等を用いる。光入射面としての端面１ｅの外周には遮光板３が形成され、不要な光の入射による混色が生じないように構成される。なお、導光板１の形状が大きい場合等において、回転体４を反対側のもう一つの（反射膜２が形成されている側の）端面１ｅにも配置し、両方の端面１ｅを光入射面として作用させることも可能である。この際、２つの回転体４の回転を同期させることはいうまでもない。
【００３９】
　回転体４の外周面には複数の発光体が装着される。ここでは、赤色光Ｌ（Ｒ）を発光する赤色発光体６Ｒ、青色光Ｌ（Ｂ）を発光する青色発光体６Ｂ、緑色光Ｌ（Ｇ）を発光する緑色発光体６Ｇにより複数の発光体を構成している。赤色発光体６Ｒ、青色発光体６Ｂ、緑色発光体６Ｇは回転体４の外周面に適宜形成される凹部に係止、装着される。なお、回転体４、各色発光体（６Ｒ、６Ｂ、６Ｇ）は回転軸５の軸長方向において端面１ｅに対応する長さを備えることはいうまでもない。回転体４の外周面は発光効率の向上を図るために反射部（ここでは図示しない。図５、図６、図７参照）を形成され、また必要に応じて絶縁性、熱伝導性の良い装着部（ここでは図示しない。図５参照）を形成される。赤色発光体６Ｒ、青色発光体６Ｂ、緑色発光体６Ｇ相互間においては発光する赤色光Ｌ（Ｒ）、青色光Ｌ（Ｂ）、緑色光Ｌ（Ｇ）相互の混色を生じないように各色発光体（６Ｒ、６Ｂ、６Ｇ）が装着される凹部に遮光性を持たせるか、または、回転体４に遮光部（ここでは図示しない。図５、図６、図７参照）を設ける。回転体４の外周面に形成される凹部の形状は各色発光体（６Ｒ、６Ｂ、６Ｇ）の形状に応じて適宜変更可能であり、例えば端面１ｅへ各色発光体（６Ｒ、６Ｂ、６Ｇ）からの光が効率良く入射されるように凹部を構成することができる。特に発光体が円筒状の外形を有する場合には、円筒状の外形に応じた曲率を有する凹部にすることにより、反射効率を向上させること等ができる。
【００４０】
　外周面における発光体の装着位置は、回転体４の回転を円滑にするため、また発光色の重畳混色を確実に防止するために相互に分離して均等に配置することが望ましい。回転体４の回転に応じて導光板１の入射面となる端面１ｅに対向する発光体が赤色発光体６Ｒ、青色発光体６Ｂ、緑色発光体６Ｇと順次変化するので、これに応じて導光板１へ入射する光は赤色光Ｌ（Ｒ）、青色光Ｌ（Ｂ）、緑色光Ｌ（Ｇ）と変化する。図では赤色発光体６Ｒが導光板１の端面１ｅに対向している状況を示す。赤色発光体６Ｒが発光する赤色光Ｌ（Ｒ）は端面１ｅから導光板１へ入射し、導光板１において適宜散乱され均一な赤色光Ｌ（Ｒ）として光出射面１ｆから出射される。青色発光体６Ｂ、緑色発光体６Ｇが端面１ｅに対向する場合も同様に青色光Ｌ（Ｂ）、緑色光Ｌ（Ｇ）が光出射面１ｆから出射される。したがって、各発光体からの光は回転体４の回転により導光板１への入射を制御されることから、各発光体の点灯消灯の制御は不要であり、常時点灯しておけば良い。
【００４１】
　導光板１の形状、特に光出射面１ｆの形状を例えば液晶表示パネルＬＣＤの形状に適合するように形成して液晶表示装置用バックライトにすることができる。つまり、光出射面１ｆに対向して液晶表示パネルＬＣＤを配置し、導光板１からの光を透過することにより液晶表示装置ＬＣＤの表示を行うことができる。回転体４の回転を適宜制御し、導光板１に対向する発光体を第１期間では赤色発光体６Ｒ、第２期間では青色発光体６Ｂ、第３期間では緑色発光体６Ｇと順次時分割により変化させることにより、導光板１へ入射される光を第１期間では赤色光Ｌ（Ｒ）、第２期間では青色光Ｌ（Ｂ）、第３期間では緑色光Ｌ（Ｇ）に変化させる。赤色光Ｌ（Ｒ）、青色光Ｌ（Ｂ）、緑色光Ｌ（Ｇ）が導光板１へ入射される第１期間、第２期間、第３期間を人間の視覚における残像効果を発揮する時間内に設定することにより、各期間においては赤色光Ｌ（Ｒ）、青色光Ｌ（Ｂ）、緑色光Ｌ（Ｇ）の内の１色による単色画像が表示されるだけであるが、残像効果が得られる時間内で各期間を切り換えることによりＲＧＢ３種類の単色画像を合成したカラー画像を人間が知覚することができ、いわゆるフィールドシーケンシャル方式による液晶表示装置とすることができる。
【００４２】
　発光体としてはＥＬ素子、ＬＥＤ等を適用することも可能であるが、放電用媒体を封入した発光管を適用することが可能である。常時点灯が可能であり、点灯時間の制御が全く不要になることから、発光管に用いられる発色用蛍光体の残光特性の相違による点灯時間の制御上の問題は全く生じない。また、従来技術において存在した点灯時間の短縮化に伴う光量ロス及び輝度低下を生じるという問題も全く生じない。したがって、赤色光Ｌ（Ｒ）、青色光Ｌ（Ｂ）、緑色光Ｌ（Ｇ）が導光板１へ入射される期間を短縮でき、液晶表示装置に表示される画像が高速で変化する場合にも十分に追随して表示可能な表示速度の高い液晶表示装置を実現することが可能となる。なお、赤色光Ｌ（Ｒ）、青色光Ｌ（Ｂ）、緑色光Ｌ（Ｇ）が導光板１へ入射される期間の制御は回転体の回転数を変化することにより簡単に制御できる。また、発光管の場合には常時点灯することにより点灯消灯による寿命の劣化が無く、製品寿命を大幅に伸ばすことができる。さらに常時点灯をすることにより、発光体の点灯消灯によりフィールドシーケンシャル方式を行う場合に比較して最大輝度を大きくすることができる。また、残光時間を考慮する必要が無いことから輝度調整が容易になる。つまり、調光幅を大きくでき、かつ調光制御が極めて容易にできることから、表示装置の使用状況等に応じた適切な表示明度を実現できる。この調光は調光手段（不図示）を別途設けることにより容易に可能となる。発光体は各色に対して１個ずつ設けたが、複数組設けても良い。さらに、各色を独立して調光することにより、バックライト単体で色温度を変更することが可能となるから、液晶の階調低下が生じず、各発光体の劣化による色ずれを容易に修正することが可能となる。
【００４３】
　＜実施の形態２＞
　図２は実施の形態２に係るバックライトの概略構成を示す構成図である。
【００４４】
　実施の形態１と同一の部分については同一の符号を付して詳細な説明は省略する。実施の形態２に係るバックライトは、導光板１の光出射面１ｆに対向する対向面１ｒを光入射面とするいわゆる直下式のバックライトを構成する。したがって、両側の端面１ｅには反射膜２が形成される。導光板１の対向面１ｒに対向して回転体４が配置される。対向面１ｒは端面１ｅに比較して広い面積を有するから、回転体４の外周面に形成される凹部の形状は対向面１ｒへ各色発光体（６Ｒ、６Ｂ、６Ｇ）からの光が効率良く入射されるように実施の形態１に比較して幅広の開口部を持つ円弧状に構成することが望ましい。その他、実施の形態２に係るバックライトにおける作用等は、実施の形態１に係るバックライトにおける作用等と全く同一である。
【００４５】
　＜実施の形態３＞
　図３は実施の形態３に係るバックライトの概略構成を示す構成図である。
【００４６】
　実施の形態２と同一の部分については同一の符号を付して詳細な説明は省略する。実施の形態３に係るバックライトは、実施の形態２に係るバックライトにおける回転体４を複数個、つまり発光体の個数に応じた個数の回転体４（通常は１個の回転体４における発光体の個数の正の整数倍を回転体４の個数とする）を備えるバックライトである。複数の回転体４を導光板１に対応して配置するので、導光板１が大面積の場合においても実施の形態２と同様に作用することから、大画面の表示装置用バックライトとすることができる。
【００４７】
　導光板１における対向面１ｒは、区画領域１ａ乃至区画領域１ｃ方向、つまり横方向において長辺を有する長方形をなしており、この長方形の長辺方向に回転体４を対向面１ｒに対向させて複数個並置する。このような構成を採ることにより、視野の移動によりカラーが重ならないで別の画像に見える、いわゆるカラーブレーキングへの対策が可能になり、さらに大面積の液晶表示装置等に適用可能な大面積のバックライトとすることができる。
【００４８】
　導光板１において、区画領域１ａには回転体４ａを、区画領域１ｂには回転体４ｂを、区画領域１ｃには回転体４ｃを各々対応させている。回転体４ａ、回転体４ｂ、回転体４ｃは各々回転軸５ａ、５ｂ、５ｃにより回転制御される。回転体４ａ、回転体４ｂ、回転体４ｃ相互の回転を同期させることはいうまでもない。例えば、第１期間において、回転体４ａでは赤色発光体６Ｒを、回転体４ｂでは青色発光体６Ｂを、回転体４ｃでは緑色発光体６Ｇを各々導光板１に対向させることにより、区画領域１ａからは赤色発光体６Ｒに対応して赤色光Ｌ（Ｒ）が、区画領域１ｂからは青色発光体６Ｂに対応して青色光Ｌ（Ｂ）が、区画領域１ｃからは緑色発光体６Ｇに対応して緑色光Ｌ（Ｇ）が出射される。
【００４９】
　図４は実施の形態３に係るバックライトのタイムシーケンスを示す説明図である。同図（ａ）は第１期間、（ｂ）は第２期間、（ｃ）は第３期間について、横長の導光板１を正面側（表示装置側）から見た場合の光の出射状況を示す。つまり、第１期間においては、区画領域１ａは赤色光Ｌ（Ｒ）を、区画領域１ｂは青色光Ｌ（Ｂ）を、区画領域１ｃは緑色光Ｌ（Ｇ）を光出射面１ｆから出射する。次の第２期間においては、区画領域１ａは青色光Ｌ（Ｂ）を、区画領域１ｂは緑色光Ｌ（Ｇ）を、区画領域１ｃは赤色光Ｌ（Ｒ）を光出射面１ｆから出射する。さらに第３期間においては、区画領域１ａは緑色光Ｌ（Ｇ）を、区画領域１ｂは赤色光Ｌ（Ｒ）を、区画領域１ｃは青色光Ｌ（Ｂ）を光出射面１ｆから出射する。第１期間乃至第３期間を１周期として回転体４ａ、４ｂ、４ｃの回転を制御することにより、フィールドシーケンシャル方式の表示装置に適用が可能なバックライトとなる。また、表示装置の長さ方向において分割することから、横長の画面を有する表示装置に適用した場合には、視認性が良くカラーブレーキングの無い表示装置とすることができるという効果を奏する。
【００５０】
　実施の形態１乃至実施の形態３における回転体４、発光体（６Ｒ、６Ｂ、６Ｇ）の構成等を実施例によりさらに詳細に説明する。
【００５１】
　＜実施例１＞
　図５は本発明に係るバックライトの実施例１の要部概略構成を示す構成図である。
【００５２】
　回転体４は回転軸５を中心に回転可能に構成され、赤色発光体６Ｒ、青色発光体６Ｂ、緑色発光体６Ｇを装着された状態を示す。赤色発光体６Ｒ、青色発光体６Ｂ、緑色発光体６Ｇは放電用媒体を封入した発光管であり、放電用媒体として水銀を含む発光管である。赤色発光体６Ｒ、青色発光体６Ｂ、緑色発光体６Ｇは各々発光体分離部４１により区分され分離されている。発光体分離部４１の形状、材質、寸法等は各色発光体（６Ｒ、６Ｂ、６Ｇ）の形状等に応じて適宜設定可能である。ここでは図示の容易さを考慮して直線状の形状を有するものとしているが、各色発光体（６Ｒ、６Ｂ、６Ｇ）の外形に準じた形状にすることにより、放熱性、反射効率等をより向上できる。発光体分離部４１は各色発光体（６Ｒ、６Ｂ、６Ｇ）相互間の混色を防止するために遮光性を有することが望ましい。
【００５３】
　回転体４の外周面、すなわち発光体分離部４１の表面には各色発光体（６Ｒ、６Ｂ、６Ｇ）の発光効率をより高めるために反射部４２が形成される。反射部４２は例えば表面を鏡面処理された銀、アルミニウム等の金属膜により形成することができる。発光体分離部４１の表面には反射部４２と共にさらに発光体装着部４３が形成される。発光体装着部４３は水銀を含む発光管の発光特性を維持するために絶縁性及び熱伝導性を有するものとされる。例えば、金属粒子を混入したゴム等が適用可能である。発光体装着部４３の熱伝導性は、発光管の回転に伴い、発光管の一部で温度低下が発生した場合の光出力均一性の低下を防止するために発光管全体を均熱化するためである。なお、発光管は適宜係止手段（不図示）により発光体装着部４３に係止される。
【００５４】
　＜実施例２＞
　図６は本発明に係るバックライトの実施例２の要部概略構成を示す構成図である。同図（ａ）は概略構成を、（ｂ）は（ａ）の矢符ＢＢにおける部分断面を示す。
【００５５】
　実施例１と同一の部分には同一の符号を付して詳細な説明は省略する。赤色発光体６Ｒ、青色発光体６Ｂ、緑色発光体６Ｇは放電用媒体を封入した発光管であり、希ガスを放電用媒体とし、水銀を含まない発光管である。なお、「水銀を含まない」とは、希ガス放電によって主な発光が得られる程度に含まないことを意味する。赤色発光体６Ｒ、青色発光体６Ｂ、緑色発光体６Ｇは各々発光体分離部４１により区分され分離されている。発光体分離部４１の表面には反射部４２が形成される。希ガスを放電用媒体とする発光管は内部電極（不図示）と外部電極６ｃとを備える。外部電極６ｃは発光体分離部４１の表面に反射部４２と共に形成される。このような電極構造を有する発光管は発光効率が高くより発光効率の良いバックライトを構成できる。同図（ｂ）において、外部電極６ｃが発光管の管軸方向において複数に分割して配置されることを示す。赤色発光体６Ｒの断面を示す部分的な斜線部は発光管の管壁の肉厚を示す。希ガスを放電用媒体とする発光管の場合には、水銀を放電用媒体に含む発光管の場合と異なり、回転体４の回転により発光管の管温度が低下した場合でも、輝度低下の原因とならないため、回転体４表面における熱伝導性は要求されない。また、水銀を含む場合であっても、回転体４の表面に熱伝導性を有する構造体を備えれば、複数の外部電極６ｃを持つ場合であっても点灯が可能である。なお、発光管は適宜係止手段（不図示）により外部電極６ｃに圧接して係止される。
【００５６】
　＜実施例３＞
　図７は本発明に係るバックライトの実施例３の要部概略構成例を示す構成図である。
【００５７】
　実施例２におけるバックライトに、さらに白色発光体６Ｗを追加して４個の各色発光体（６Ｒ、６Ｂ、６Ｇ、６Ｗ）を回転体４に装着するバックライトである。図６と同一部分には同一符号を付して詳細な説明は省略する。白色発光体６Ｗを追加することにより、バックライトとしての輝度を向上することができる。白色発光体６Ｗの追加に応じて発光体分離部４１の形状も変更され、４個の各色発光体（６Ｒ、６Ｂ、６Ｇ、６Ｗ）を均等に配置するために側面視で十字形状とされる。
【００５８】
　＜変形例＞
　図８は本発明に係るバックライトの変形例の要部概略構成例を示す構成図である。
【００５９】
　円筒状の回転体４の外周面にらせん状に各色発光体（６Ｒ、６Ｂ、６Ｇ）を設けたバックライトである。各色発光体（６Ｒ、６Ｂ、６Ｇ）相互間には発光体分離部４１が形成される。導光板１は平面視の状態を示しており、回転体４つまり各色発光体（６Ｒ、６Ｂ、６Ｇ）が導光板１の端面１ｅに対向して配置される。端面１ｅから赤色光Ｌ（Ｒ）、青色光Ｌ（Ｂ）、緑色光Ｌ（Ｇ）が入射した状態を示す。したがって、区画領域１ａからは赤色発光体６Ｒに対応して赤色光Ｌ（Ｒ）が、区画領域１ｂからは青色発光体６Ｂに対応して青色光Ｌ（Ｂ）が、区画領域１ｃからは緑色発光体６Ｇに対応して緑色光Ｌ（Ｇ）が出射される。発光体分離部４１に対応して暗部１ｄが形成される。区画領域１ａ、区画領域１ｂ、区画領域１ｃは回転体４の回転に伴い矢印Ｓで示すようにスクロール移動し、フィールドシーケンシャル方式の表示装置に適用が可能なバックライトとなる。この変形例によれば、色割れ問題を低減でき、カラーブレーキングを大幅に抑制することができる。なお、本変形例において発光体を発光管で構成した場合、電極は発光管の両端に設けても良いし、実施例２のように外部電極を設ける場合は発光体分離部４１に外部電極を設けると良い。
【００６０】
　〈実施の形態４〉
　図１は、実施の形態４に係るエッジライト式のバックライト１０１を備える、液晶表示装置２を示す。
【００６１】
　バックライト１０１は、液晶表示パネル１０３の背面側に配置されている。液晶表示パネル１０３は既知の構造であり、一対のガラス板の間に、透明電極と液晶材料が封入されている。液晶表示パネル１０３を駆動してシャッタリングを実行させるためのＬＣＤドライバ１０４が設けられている。このＬＣＤドライバ１０４は、画像情報に基づいてコントローラ１０５で制御される。液晶表示パネル１０３の構造は特に限定されない。また、液晶表示装置以外のパッシブ型の表示装置にも本発明を適用することができる。
【００６２】
　バックライト１０１は導光板１１１、回転体１１２、回転駆動機構１１３、３つの無水銀型蛍光ランプ１１４Ｒ，１１４Ｇ，１１４Ｂ、反射部材１１５、給電回路１１６、及び給電制御機構１１７を備えている。
【００６３】
　導光板１１１は、ポリカーボネイト、エポキシ樹脂等の透明な合成樹脂が一般に用いられ、金型成形等により形成される。導光板１１１は光を入射するための光入射面１１１ａ、光を出射するための光出射面１１１ｂ、及び光出射面１１１ｂに対向する対向面１１１ｃを備える。本実施例では、導光板１１１の４つの端面の一つを光入射面１１１ａとしている。光入射面１１１ａ及び光出射面１１１ｂ以外の面には、入射光を効率的に反射して光を出射できるように反射膜２１が形成されている。各無水銀型蛍光ランプ１１４Ｒ〜１１４Ｂが発生する光は、光入射面１１１ａから導光板１１１へ入射し、導光板１１１において散乱されて、均一光として光出射面１１１ｂから液晶表示パネル１０３に向けて出射される。
【００６４】
　図１０から図１２をさらに参照すると、回転体１１２は、導光板１１１の光入射面１１１ａに対向して配置されている。回転体１１２は、矢符Ｒで示すように回転軸１２３回りに回転可能に構成されている。回転体１１２には回転軸１２３と同方向に延びるように、３個の無水銀型蛍光ランプ１１４Ｒ〜１１４Ｂが装着されている。
【００６５】
　回転体１１２の側周面には、回転軸１２３と同方向に延びる、それぞれ無水銀型蛍光ランプ１１４Ｒ〜１１４Ｂを収容するための凹部１１２ａ，１１２ｂ，１１２ｃが設けられている。図５及び図６に示すように、凹部１１２ａ〜１１２ｃの表面には、発光効率の向上のために、絶縁性と光反射性を有する層（絶縁反射層１２４）が形成されている。凹部１１２ａ〜１１２ｃの形状は、無水銀型蛍光ランプ１１４Ｒ〜１１４Ｂの形状に応じて適宜変更可能であり、光入射面１１１ａへ各無水銀型蛍光ランプ１１４Ｒ〜１１４Ｂの光が効率良く入射されるような形状とすればよい。特に、本実施例のように、無水銀型蛍光ランプ１１４Ｒ〜１１４Ｂの発光管１３３が円筒状の外形を有する場合、その円筒形状に応じた曲率を有する凹部とすることにより、反射効率を向上させること等ができる。各凹部１１２ａ〜１１２ｃには、無水銀型蛍光ランプ１１４Ｒ〜１１４Ｂの両端を取り外し可能に保持するためのクランプ金具１２５Ａ，１２５Ｂが取り付けられている。
【００６６】
　回転体１１２の凹部１１２ａ〜１１２ｃで挟まれた部分に、光分離部１１２ｆ，１１２ｇ，１１２ｈが形成されている。これらの光分離部１１２ｆ〜１１２ｈは、各無水銀型蛍光ランプ１１４Ｒ〜１１４Ｂが出射する光が混合しないように、無水銀型蛍光ランプ１１４Ｒ〜１１４Ｂを互いに分離する機能を有する。光分離部１１２ｆ〜１１２ｈの形状、材質、及び寸法は、各無水銀型蛍光ランプ１１４Ｒ〜１１４Ｂの発光管１３３の形状、凹部１１２ａ〜１１２ｃの形状のような要因に応じて設定することができる。図１３に示すように、本実施例では回転軸１２３が延びる方向から見た光分離部１１２ｆ〜１１２ｈの形状は、全体として台形状で斜辺が円弧状である。
【００６７】
　回転体１１２の回転軸１２３は、その両端が支持板１２６Ａ，１２６Ｂによって回転可能に支持されている。詳細には、各支持板１２６Ａ，１２６Ｂに設けられた孔１２６ａに回転軸１２３の端部が挿入されている。
【００６８】
　本実施例における回転駆動機構１１３は、ステッピングモータのようなモータ１２８を備えている。モータ１２８はモータドライバ２９により駆動される。このモータ１２８の出力軸１２８ａと、一方の支持板２８Ａから突出した回転軸１２３の端部が、ゴムのような弾性材料からなる連結管１３０により互いに連結されている。モータ１２８の出力軸１２８ａの回転は、この連結管１３０を介して回転軸１２３に伝達される。連結管１３０が弾性材料からなるのは、出力軸１２８ａと回転軸１２３のアラインメントが充分でない場合に回転軸１２３にぶれが発生するのを防止するためである。
【００６９】
　３つの無水銀型蛍光ランプ１１４Ｒ，１１４Ｇ，１１４Ｂは、それぞれ赤色、緑色、及び青色の光を発生する。黄色、マゼンタ、及びシアンのような他の色の組み合わせを採用することもできる。
【００７０】
　各無水銀型蛍光ランプ１１４Ｒ〜１１４Ｂは、放電媒体１３２が封入された直管状の発光管１３３を備えている。発光管１３３は、ホウケイ酸ガラス、石英ガラス、ソーダガラス、及び鉛ガラスを含む透光性を有する材料からなる。発光管１３３の内面には蛍光体層が設けられている。この蛍光体層の組成は出射される色に応じて異なる。また、発光管１３３の外面にポリエステル系樹脂の多層膜、酸化チタン薄膜、又は酸化ケイ素薄膜のような誘電体層が設けてもよい。かかる誘電体層を設けることにより、反射の効果が向上する。
【００７１】
　放電媒体１３２は希ガスからなり、水銀を含まない。上述のように「水銀を含まない」とは、希ガス放電によって主な発光が得られる程度に含まないことを意味する。クリプトンガス、アルゴンガス、ヘリウムガス、及びキセノンガスからなる群から選択される、少なくとも一種類のガスを放電媒体１３２として使用することができる。キセノンガスから放出される紫外線の波長は、水銀から放出される紫外線の波長と近接している。そのため、放電媒体１３２としてキセノンガスを使用することによって、水銀型蛍光ランプと同様の組成の蛍光体層を使用することができる。
【００７２】
　無水銀型蛍光ランプ１１４Ｒ〜１１４Ｂは、放電媒体１３２を励起するために、第２の電極としての外部電極１３４と、第１の電極としての内部電極１３５とを備えている。
　外部電極１３４は、複数の分離電極１３４ａと、これら複数の分離電極１３４ａを接続する共通導電部１３４ｂを備えている。分離電極１３４ａは、回転軸１２３が延びる方向に間隔をあけて凹部１１２ａ〜１１２ｃ上に配置され、かつ発光管１３３の外周面に接触している。共通導電部１３４ｂは凹部１１２ａ〜１１２ｃ上に設けられ、回転軸１２３と同方向に延びている。共通導電部１３４ｂは発光管１３３と接触しない。外部電極１３４を構成する分離電極１３４ａ及び共通導電部１３４ｂ、並びに後述する導電接点１４３Ａ〜４３Ｃ、検出接点１４７、及び導電路１４５Ａ〜１４５Ｃは、膜状ないしは薄板状の導電領域を形成することができる導電材料からなる。例えば、銅、アルミニウム、リン青銅、銀粉末を含む金属粉末、又は樹脂を含有する金属ペーストを使用することができる。
【００７３】
　内部電極１３５は、発光管１３３の一端においてその内部に配置されている。内部電極１３５は、タングステン又はニッケルのような導電性を有する金属により形成される。内部電極１３５の表面は、酸化セルシウム、酸化マグネシウム、又は酸化バリウムのような金属酸化膜、及び／又はガラス層のような誘電体層で覆われていてもよい。
【００７４】
　給電回路１１６から印加される電圧により外部電極１３４及び内部電極１３５との間に放電が発生し、放電媒体１３２が励起される。外部電極１３４は間隔をあけて配置された複数の分離電極１３４ａを備えるので、個々の分離電極１３４ａと単一の内部電極１３５との間で放電が発生する。そのため、発光管１３３内の放電媒体１３２は均一に励起され、発光管１３３はその長さ方向にむらがない均一な光を発生する。
【００７５】
　また、放電媒体１３２が水銀を含有しないので、無水銀型蛍光ランプ１１４は以下の特性を有する。第１に、図１６を参照すると、破線で概略的に示すように、水銀型蛍光ランプの光出力は周囲温度に対する依存度が高いのに対して、実線で概略的に示すように、無水銀型蛍光ランプの光出力は周囲温度に殆ど依存しない。第２に、図１７を参照すると、破線で概略的に示すように、水銀型蛍光ランプは電極への通電開始後に光出力が所望のレベルに到達するまでにある程度の時間を要するのに対して、実線で概略的に示すように、無水銀型蛍光ランプ１１４は外部電極１３４及び内部電極１３５への通電開始後ほぼ瞬間的に光出力が所望のレベルに達する。
【００７６】
　図９に示すように、無水銀型蛍光ランプ１１４Ｒ〜１１４Ｂが取りつけられた回転体１１２に対して導光板１１１の光入射面１１１ａとは反対側に、反射部材１１５が配置されている。図１５を併せて参照すると、反射部材１１５は、金属又は樹脂のような硬質の材料からなフレーム１３７を備えている。このフレーム１３７の光入射面１１１ａと対向する面が反射面１３７ａとして機能する。反射面１３７ａは、各無水銀型蛍光ランプ１１４Ｒ〜１１４Ｂが延びる方向から見て円弧状に湾曲している。反射面１３７ａの形状は、各無水銀型蛍光ランプ１１４Ｒ〜１１４Ｂが出射した光が反射面１３７ａにのみ反射し、又は回転体１１２の絶縁反射層２４と反射面１３７ａに反射することで、光入射面１１１ａに集められるように設定されている。反射面１３７ａにはニッケルメッキ又は銀メッキのような処理により、反射膜１３８が形成されている。
【００７７】
　次に、給電回路１１６及び給電制御機構１１７について説明する。図９及び図１０を参照すると、給電回路１１６は放電媒体１３２を励起するための電圧を発生する回路である。給電回路１１６はコントローラ１０５により制御される。給電回路１１６の発生する電圧は、給電制御機構１１７を介して内部電極１３５及び外部電極１３４に供給される。後に詳述するように、給電制御機構１１７は各無水銀型蛍光ランプ１１４Ｒ〜１１４Ｂの内部電極１３５に対する電圧の印加の有無、すなわち各無水銀型蛍光ランプ１１４Ｒ〜１１４Ｂに点灯及び消灯を、機械的に切り換える。
【００７８】
　図１１から図１３を参照すると、給電制御機構１１７は、回転体１１２の両端に回転軸１２３と同軸に設けられた一対の円柱体１４１Ａ，１４１Ｂを備えている。円柱体１４１Ａ，１４１Ｂは回転体１１２の端面と一体成形されてもよく、別体のものを端面に固定してもよい。
【００７９】
　一方の円柱体（第１の円柱体）１４１Ａの側周面には、無水銀型蛍光ランプ１１４の個数、すなわち本実施例では３個の導電接点１４３Ａ，１４３Ｂ，１４３Ｃが設けられている。図５に示すように、回転軸１２３が延びる方向から見ると、各導電接点１４３Ａ，１４３Ｂ，１４３Ｃは円柱体１４１Ａの周方向の長さが等しい。導電接点１４３Ａ〜１４３Ｃ間には、間隔１４４Ａ，１４４Ｂ，１４４Ｃが設けられており、これらの間隔１４４Ａ〜１４４Ｃも円柱体１４１Ａの周方向の長さが等しい。各導電接点１４３Ａ〜１４３Ｃは、回転体１１２の端面上に設けられた導電路１４５Ａ，１４５Ｂ，１４５Ｃを介して対応する無水銀蛍光ランプ１１４Ｒ〜１１４Ｂの内部電極１３５に接続されている。図１１に示すように、導電接点１４３Ａ〜１４３Ｃを給電回路１１６と接続するための端子（第１の端子）１４６が円柱体１４１Ａに隣接して配置されている。本実施例では端子１４６は導電性と弾性を有する材料からなり、一端が円柱体１４１Ａの側周面に当接し、他端が電線を介して給電回路１１６に接続されている。端子１４６はそれ自体が有する弾性により、一端が常に円柱体１４１Ａの側周面との接触を維持する。代案としては、ばねのような弾性体で端子を円柱体に向けて付勢してもよい。後述する端子１４８，１５２は、この端子１４６と同様の形状、寸法、及び材質である。
【００８０】
　また、図１１に示すように、円柱体１４１Ａの側周面には、回転体１１２の回転速度ないしは回転数を検出するための１個の検出接点１４７が設けられている。この検出接点１４７と接触する端子１４８が円柱体１４１Ａに隣接して配置されている。端子１４８は一端が円柱体１４１Ａの側周面に当接し、他端が後述するコントローラ１０５に接続されている。導電接点１４３Ａ〜１４３Ｃと検出接点１４７は回転軸１２３が延びる方向の位置を異ならせており、それによって端子１４６，１４８が互いに干渉しないようになっている。
【００８１】
　図４に示すように、他方の円柱体（第２の円柱体）１４１Ｂの側周面には単一の導電接点１５１が設けられている。この導電接点１５１は円柱体１４１Ｂの側周面を切れ目なく一周するように設けられている。導電接点１５１には円柱体１４１Ｂの端面に設けられた導電路２４５を介して各無水銀蛍光ランプ１１４Ｒ〜１１４Ｂの外部電極１３４の共通導電部１３４ｂが接続されている。導電接点１５１を給電回路１１６と接続するための端子（第２の端子）１５２が円柱体１４１Ｂに隣接して配置されている。この端子１５２は、一端が導電接点１５１に常に当接し、他端が電線を介して給電回路１１６に接続されている。
【００８２】
　モータ１２８が駆動されると、出力軸１２８ａの回転が連結管１３０を介して回転体１１２の回転軸１２３に伝達され、回転体１１２が回転する。また、回転軸１２３と共に円柱体１４１Ａ，１４１Ｂが回転軸１２３回りに回転する。円柱体１４１Ａが回転すると、その回転角度位置に応じて端子１４６の先端が３つの導電接点１４３Ａ〜１４３Ｃのいずれかと接触する。導電接点１４３Ａ〜１４３Ｃのうち端子１４６と接触しているものに対応する無水銀型蛍光ランプ１１４Ｒ〜１１４Ｂの内部電極１３５に、給電回路１１６から電圧が印加される。端子１４６の先端が間隔１４４Ａ〜１４４Ｃに位置している時には、いずれの無水銀型蛍光ランプ１１４Ｒ〜１１４Ｂの内部電極１３５にも電圧は印加されない。一方、円柱体１４１Ｂ上の導電接点１５１は常に端子５２と接触しているので、各無水銀型蛍光ランプ１１４Ｒ〜１１４Ｂの外部電極１３４は、常に給電回路１１６に接続されている。従って、回転体１１２が回転すると、その回転角度位置に応じて、３つ無水銀型蛍光ランプ１１４Ｒ〜１１４Ｂが順次間欠的に発光する。円柱体１４１Ａ上の導電接点１４３Ａ〜１４３Ｃと対応する端子１４６の配置は、各無水銀型蛍光ランプ１１４Ｒ〜１１４Ｂが回転体１１２の回転よって導光板１１１の光入射面１１１ａと対向する位置となった時に、その外部電極１３４が給電回路１１６と接続されるように設定されている。従って、赤、緑、青にそれぞれ対応する各無水銀型蛍光ランプ１１４Ｒ〜１１４Ｂは、導光板１１１の光入射面１１１ａと対向する位置にある時にのみ点灯され、それ以外の位置にある時には消灯される。このように無水銀型蛍光ランプ１１４Ｒ〜１１４Ｂを常時点灯するのではなく、導光板１１１を介して液晶表示パネル１０３に光を出射する時のみ点灯することで、消費電力を低減することができる。
【００８３】
　また、各無水銀型蛍光ランプ１１４Ｒ〜１１４Ｂの点灯及び消灯は、回転体１１２と共に回転する円柱体１４１Ａ上の導電接点１４３Ａ〜１４３Ｃが、端子１４６と接触することによりなされる。換言すれば、各無水銀型蛍光ランプ１１４Ｒ〜１１４Ｂの点灯及び消灯は、電気回路ないしは電子回路によってではなく、給電制御機構１１７によって機械的に制御される。かかる給電制御機構１１７の構造によっても消費電力が低減される。
【００８４】
　コントローラ１０５は入力された画像情報に基づいて、ＬＣＤドライバ１０４を制御して液晶表示パネル１０３をシャッタリングさせ、かつモータドライバ２９を制御してモータ１２８を駆動する。回転体１１２の回転に応じて導光板１１１の光入射面１１１ａと対向する無水銀型蛍光ランプ１１４Ｒ〜１１４Ｂが発光するので、導光板１１１を介して液晶表示パネル１０３に入射する光は、赤色光Ｌ（Ｒ）、青色光Ｌ（Ｂ）、緑色光Ｌ（Ｇ）と変化する。コントローラ１０５は、回転体１１２の回転速度で決まるバックライト１０１が出射する光の色の切り換えと、液晶表示パネル１０３のシャッタリングとを同期させている。従って、液晶表示パネル１０３には赤色の画像、青色の画像、及び緑色の画像が連続的に表示され、残像効果により人間にはカラー画像として認識される。
。
【００８５】
　本実施例のバックライト１０１は、蛍光ランプ（無水銀型蛍光ランプ１１４Ｒ〜１１４Ｂ）を装着した回転体１１２が回転し、かつ蛍光ランプは導光板１１１と対向する位置にある時のみ点灯される。かかる構成は、蛍光ランプとして無水銀型蛍光ランプ１１４Ｒ〜１１４Ｂを採用したことによって実現できたものである。詳述すると、図８を参照して説明したように、無水銀型蛍光ランプ１１４Ｒ〜１１４Ｂの光出力は周囲温度に依存しないので、回転体１１２と共に回転することにより周囲温度が変化しても、光出力が安定している。また、図９を参照して説明したように、無水銀型蛍光ランプ１１４Ｒ〜１１４Ｂの光出力は通電開始後瞬間的に所望のレベルに達するので、高速で点灯と消灯を繰り返しても光出力が安定している。
【００８６】
　図１８及び図１９は、外部電極１３４の配線の代案を示す。共通導電部１３４ｂは回転体１１２の内部に配置されて、各分離分極３４ａはスルーホール１６１により共通導電部１３４ｂに接続されている。
【００８７】
　図２０は給電制御機構の代案を示す。各無水銀型蛍光ランプ１１４Ｒ〜１１４Ｂに対応する導電接点１４３Ａ〜１４３Ｃは回転軸１２３の方向に位置をずらして配置されている。また、回転軸１２３が延びる方向から見ると、各無水銀型蛍光ランプ１１４Ｒ〜１１４Ｂに対応する導電接点１４３Ａ〜１４３Ｃの一部が互いに重なっている。さらに、導電接点１４３Ａ〜１４３Ｃをずらして配置させたことと対応して、端子１４６の先端の幅が拡大されている。この図２０の代案の構造では、隣接する導電接点１４３Ａ〜１４３Ｃが重なっている部分（図２０において参照番号１６２で示す。）に端子１４６が位置している間は、２つの無水銀型蛍光ランプ１１４Ｒ〜１１４Ｂが同時に点灯する。
【００８８】
　図２１及び図２２は、回転駆動機構１１３の代案である。図２１の代案では、モータ１２８の出力軸１２８ａに固定された平歯車１６３Ａと、支持板１２６Ａよりも外側で回転軸１２３に固定された平歯車１６３Ｂが噛み合っており、これらの平歯車１６３Ａ，１６３Ｂによってモータ１２８の出力軸１２８ａの回転が回転体１１２に伝達される。図２２の代案では、平歯車１６３Ｂは支持板１２６Ａよりも内側で回転軸１２３に固定されている。
【００８９】
　図２３は、回転体１１２への発光管１３３の取り付け構造の代案である。回転体１１２クランプ金具１２５Ａ，１２５Ｂ（図１参照）を備えていない。凹部１１２ａ〜１１２ｃの表面の外部電極１３４が存在しない部分に塗布された接着剤１６４により、発光管１３３が回転体１１２に固定されている。
【００９０】
　図２４は、反射部材１１５の代案を示す。反射面１３７ａは回転軸１２３が延びる方向から見て四角形状である。
【００９１】
　図２に示す直下式のバックライトに実施の形態４の構成を適用することもできる。また、図３に示す導光板の背面側に複数の回転体を備えるバックライトに実施の形態４の構成を適用することもできる。さらに、図８に示す発光管を螺旋状とするバックライトに実施の形態４の構成を適用することもできる。
【００９２】
　〈実施の形態５〉
　図２５は、実施の形態５に係るエッジライト式のバックライト１０１を示す。導光板１１１の互いに対向する一対の端面が光入射面１１１ａ，１１１ｄを構成し、各光入射面１１１ａ，１１１ｄと対向して、それぞれ無水銀型蛍光ランプ１１４Ｒ〜１１４Ｂが装着された回転体１１２Ａ，１２Ｂが配置されている。対向する一対の光入射面１１１ａ，１１１ｄの両方から光を入射させることにより、導光板１１１の面積が広い場合でも均一な光を光出射面１１１ｂから出射することができる。コントローラ１０５は、２つの回転体１１２Ａ，１１２Ｂの回転が同期するように、それらに対応する２つのモータ１２８，２８を制御する。詳細には、２つの回転体１１２Ａ，１１２Ｂは同一の回転速度で回転し、かつ同一色の光を出射する無水銀型蛍光ランプ１１４Ｒ〜１１４Ｂが同時に光出射面１１１ｂ，１１１ｄと対向する位置となる。その他の構成及び作用は実施の形態４と同様であるので、同一の要素には同一の符号を付して説明を省略する。
【００９３】
　〈実施の形態６〉
　図２６は実施の形態６に係るバックライト１０１を備える液晶表示装置１０２を示す。導光板１１１の端面である光出射面１１１ｂに対向した配置された単一の回転体１１２は、４個の凹部１１２ａ，１１２ｂ，１１２ｃ，１１２ｄを備え、回転軸１２３が延びる方向から見ると十字形である。凹部１１２ａ〜１１２ｃには、それぞれ赤色、緑色、青色、及び白色の光を発生する４個の無水銀型蛍光ランプ１１４Ｒ，１１４Ｇ，１１４Ｂ，１１４Ｗが装着されている。
【００９４】
　赤色、緑色、及び青色の無水銀型蛍光ランプ１１４Ｒ〜１１４Ｂに加え、白色の無水銀型蛍光ランプ１１４Ｗを使用することにより、輝度の調整の融通性が向上する。図２７（ａ）を参照すると、同一周期に赤色、緑色、及び青色の無水銀型蛍光ランプ１１４Ｒ〜１１４Ｂを点灯することにより、人間には白色光が認識される（図２８の参照番号７０を参照）。この白色光の輝度は、概略的には赤色光、緑色光、及び青色光の輝度の総和である。次に、図２７（ｂ）を参照すると、同一周期に赤色、緑色、及び青色の無水銀型蛍光ランプ１１４Ｒ〜１１４Ｂに加え、白色の無水銀型蛍光ランプ１１４Ｗを点灯すると、無水銀型蛍光ランプ１１４が出射する輝度の分だけ認識される白色光の輝度が高まる。従って、同一周期に白色の無水銀型蛍光ランプ１１４Ｗを点灯するか否かにより、認識される白色光の輝度を調製することができる。また、図２７（ｃ）に示すように、同一周期に赤色の無水銀型蛍光ランプ１１４と白色の無水銀蛍光型蛍光ランプ１１４Ｗを点灯すると、認識される赤色光の輝度が高まる。その他の構成及び作用は実施の形態４と同様であるので、同一の要素には同一の符号を付して説明を省略する。
【図面の簡単な説明】
【００９５】
【図１】実施の形態１に係るバックライトの概略構成を示す構成図。
【図２】実施の形態２に係るバックライトの概略構成を示す構成図。
【図３】実施の形態３に係るバックライトの概略構成を示す構成図。
【図４】実施の形態３に係るバックライトのタイムシーケンスを示す説明図。
【図５】本発明に係るバックライトの実施例１の要部概略構成を示す構成図。
【図６】本発明に係るバックライトの実施例２の要部概略構成を示す構成図。
【図７】本発明に係るバックライトの実施例３の要部概略構成例を示す構成図。
【図８】本発明に係るバックライトの変形例の要部概略構成例を示す構成図。
【図９】実施の形態４に係るバックライトを備える液晶表示装置を示す概略側面図。
【図１０】実施の形態４に係るバックライトを備える液晶表示装置の電気的構成を示す概略図。
【図１１】実施の形態４に係る照明装置を示す斜視図。
【図１２】実施の形態４に係る照明装置を示す斜視図。
【図１３】回転体及び発光管を示す概略側面図。
【図１４】図１３のXIV−XIV線での断面図。
【図１５】反射部材を示す斜視図。
【図１６】周囲温度と蛍光ランプの光出力の関係を示す概略的なグラフ。
【図１７】通電時間と蛍光ランプの光出力の関係を示す概略的なグラフ。
【図１８】外部電極の配線の代案を示す概略斜視図。
【図１９】図１８のXIX−XIX線での断面図。
【図２０】点灯制御機構の代案を示す斜視図。
【図２１】回転駆動機構の第１の代案を示す斜視図。
【図２２】回転駆動機構の第２の代案を示す斜視図。
【図２３】発光管の回転体への取り付けの代案を示す斜視図。
【図２４】反射部材の代案を示す概略側面図。
【図２５】実施の形態５に係るバックライト装置を備える液晶表示装置を示す概略側面図。
【図２６】実施の形態６に係るバックライト装置を備える液晶表示装置を示す概略側面図。
【図２７】（Ａ）、（Ｂ）、及び（Ｃ）は、輝度の調整を説明するための概略的なヒストグラム。
【図２８】従来のバックライトの概略構成を示す構成図
【符号の説明】
【００９６】
　１，１０１　　導光板
　１ａ，１ｂ，１ｃ　　区画領域
　１ｄ　　暗部
　１ｅ　　端面
　１ｆ　　光出射面
　１ｒ　　対向面
　２　　反射膜
　３　　遮光板
　４，１１２　　回転体
　５，２３　　回転軸
　６ｃ，１３４　　外部電極
　６Ｂ　　青色発光体
　６Ｇ　　緑色発光体
　６Ｒ　　赤色発光体
　４１　　発光体分離部
　４２　　反射部
　４３　　発光体装着部
　１１３　　回転駆動機構
　１１４Ｒ，１１４Ｇ，１１４Ｂ　　無水銀型蛍光ランプ
　１１６　給電回路
　１１７　給電制御機構
　１３５　内部電極
　Ｌ（Ｒ）　　赤色光
　Ｌ（Ｂ）　　青色光
　Ｌ（Ｇ）　　緑色光
【図１】
2004055563.tif 000003
【図２】
2004055563.tif 000004
【図３】
2004055563.tif 000005
【図４】
2004055563.tif 000006
【図５】
2004055563.tif 000007
【図６】
2004055563.tif 000008
【図７】
2004055563.tif 000009
【図８】
2004055563.tif 000010
【図９】
2004055563.tif 000011
【図１０】
2004055563.tif 000012
【図１１】
2004055563.tif 000013
【図１２】
2004055563.tif 000014
【図１３】
2004055563.tif 000015
【図１４】
2004055563.tif 000016
【図１５】
2004055563.tif 000017
【図１６】
2004055563.tif 000018
【図１７】
2004055563.tif 000019
【図１８】
2004055563.tif 000020
【図１９】
2004055563.tif 000021
【図２０】
2004055563.tif 000022
【図２１】
2004055563.tif 000023
【図２２】
2004055563.tif 000024
【図２３】
2004055563.tif 000025
【図２４】
2004055563.tif 000026
【図２５】
2004055563.tif 000027
【図２６】
2004055563.tif 000028
【図２７】
2004055563.tif 000029
【図２８】
2004055563.tif 000030